(57)【要約】【課題】規格団体や規格名に対応したパターンのみをパターン一覧に表示する。【解決手段】各種伝送規格に対応したパターンによる４値以上の多値変調信号を発生するにあたって、多値変調信号のパターンをパターン一覧の中から選択設定するためのパターン選択画面１５ａを表示し、パターン選択画面１５ａにおいて、規格団体と規格名の少なくとも一方が選択されると、これに対応するパターンのみをパターン一覧に表示制御する。【選択図】図２
2020043482.tif 000002
【特許請求の範囲】
【請求項１】
各種伝送規格に対応したパターンによる４値以上の多値変調信号を発生するパターン発生装置（２）であって、
前記多値変調信号のパターンをパターン一覧の中から選択設定するためのパターン選択画面（１５ａ）を表示する表示手段（１５）と、
前記パターン選択画面において、規格団体と規格名の少なくとも一方が選択されたときに、これに対応するパターンのみを前記パターン一覧に表示制御する制御手段（１４）とを備えたことを特徴とするパターン発生装置。
【請求項２】
前記制御手段（１４）は、前記パターン一覧の中から選択設定されたパターンの概要説明を表示制御することを特徴とする請求項１に記載のパターン発生装置。
【請求項３】
各種伝送規格に対応したパターンによる４値以上の多値変調信号を発生するパターン発生方法であって、
前記多値変調信号のパターンをパターン一覧の中から選択設定するためのパターン選択画面（１５ａ）を表示するステップと、
前記パターン選択画面において、規格団体と規格名の少なくとも一方が選択されたときに、これに対応するパターンのみを前記パターン一覧に表示制御するステップとを含むことを特徴とするパターン発生方法。
【請求項４】
前記パターン一覧の中から選択設定されたパターンの概要説明を表示制御するステップを含むことを特徴とする請求項３に記載のパターン発生方法。
【請求項５】
請求項１または請求項２のパターン発生装置（２）と、
被測定物（Ｗ）への前記パターン発生装置が発生する多値変調信号の入力に伴う前記被測定物からの信号を受けてビット誤り率を測定する誤り検出装置（３）とを備えたことを特徴とする誤り率測定装置。
【請求項６】
請求項３または請求項４のパターン発生方法にて発生した多値変調信号を被測定物（Ｗ）に入力するステップと、
前記被測定物への前記多値変調信号の入力に伴う前記被測定物からの信号を受けて誤り率を測定するステップとを含むことを特徴とする誤り率測定方法。
【発明の詳細な説明】
【技術分野】
【０００１】
本発明は、各種伝送規格における規格団体や規格名などで規定される所望パターンの４値以上の多値変調信号を発生するパターン発生装置およびパターン発生方法と誤り率測定装置および誤り率測定方法に関する。
【背景技術】
【０００２】
ＩＥＥＥで定められる１００Ｇや４００Ｇなどの規格においては、ビットレートの超高速化に応えるため、これまでのＰＡＭ２（ＮＲＺ）信号による伝送ではなく、ＰＡＭ４信号による伝送が規定されている。
【０００３】
ＰＡＭ４信号は、例えば、下記特許文献１に示すように、２つの信号源を用いて最上位ビット列信号ＭＳＢと最下位ビット列信号ＬＳＢを生成した後、これらの信号を足し合わせることで０（００）、１（０１）、２（１０）、３（１１）の４値の信号として発生することができる。
【０００４】
ところで、上述したＰＡＭ４信号を発生する場合、例えば図６に示すようなパターン選択画面において、「パターン」の項目の下にプルダウンメニュー表示されるパターン一覧の中から規格に対応したパターンを選択して設定を行っていた。なお、図６は斜線で示すＩＥＥＥ８０２．３ｂｓに対応した「ＰＲＢＳ１３Ｑ」をパターン一覧から選択設定した状態を示している。
【先行技術文献】
【特許文献】
【０００５】
【特許文献１】特開２０１８−０３３０９８号公報
【発明の概要】
【発明が解決しようとする課題】
【０００６】
しかしながら、上述した超高速規格は、例えばＩＥＥＥ  １００ｇ／２００Ｇ／４００Ｇ、ＯＩＦ−ＣＥＩ−４．０、ＩｎｆｉｎｉＢａｎｄ  ＨＤＲ、６４ＧＦｉｂｒｅ  Ｃｈａｎｎｅｌなど様々ある。特にＰＡＭ４信号では、各種規格によって使用するパターンが様々あり、しかも似ている規格名も多いため、パターンの名称だけを見てもそれがどの規格のものなのかを判断するのは難しい。
【０００７】
そして、今日、この種のＰＡＭ４信号を使用する規格が増え、１００Ｇｂｉｔ  Ｅｔｈｅｒｎｅｔ（登録商標）だけが例外というわけではなく、様々な規格による様々なパターンが提案されたことにより、ユーザにとってパターンと規格との紐づけがパターンの名称を見ただけでは判別しずらくなった。
【０００８】
その結果、規格団体や規格に対応したパターンを図６のようなパターン一覧から容易に選択することが困難であり、規格団体や規格に対応しないパターンを誤ってパターン一覧から選択して設定する恐れがあった。
【０００９】
そこで、本発明は上記問題点に鑑みてなされたものであって、規格団体や規格名に対応したパターンのみをパターン一覧に表示することができるパターン発生装置およびパターン発生方法を提供するとともに、パターン発生装置およびパターン発生方法によって発生するパターンの多値変調信号によってビット誤り率の測定を行うことができる誤り率測定装置および誤り率測定方法を提供することを目的としている。
【課題を解決するための手段】
【００１０】
上記目的を達成するため、本発明の請求項１に記載されたパターン発生装置は、各種伝送規格に対応したパターンによる４値以上の多値変調信号を発生するパターン発生装置２であって、
前記多値変調信号のパターンをパターン一覧の中から選択設定するためのパターン選択画面１５ａを表示する表示手段１５と、
前記パターン選択画面において、規格団体と規格名の少なくとも一方が選択されたときに、これに対応するパターンのみを前記パターン一覧に表示制御する制御手段１４とを備えたことを特徴とする。
【００１１】
請求項２に記載されたパターン発生装置は、請求項１のパターン発生装置において、
前記制御手段１４は、前記パターン一覧の中から選択設定されたパターンの概要説明を表示制御することを特徴とする。
【００１２】
請求項３に記載されたパターン発生方法は、各種伝送規格に対応したパターンによる４値以上の多値変調信号を発生するパターン発生方法であって、
前記多値変調信号のパターンをパターン一覧の中から選択設定するためのパターン選択画面１５ａを表示するステップと、
前記パターン選択画面において、規格団体と規格名の少なくとも一方が選択されたときに、これに対応するパターンのみを前記パターン一覧に表示制御するステップとを含むことを特徴とする。
【００１３】
請求項４に記載されたパターン発生方法は、請求項３のパターン発生方法において、
前記パターン一覧の中から選択設定されたパターンの概要説明を表示制御するステップを含むことを特徴とする。
【００１４】
請求項５に記載された誤り率測定装置は、請求項１または請求項２のパターン発生装置２と、
被測定物Ｗへの前記パターン発生装置が発生する多値変調信号の入力に伴う前記被測定物からの信号を受けてビット誤り率を測定する誤り検出装置３とを備えたことを特徴とする。
【００１５】
請求項６に記載された誤り率測定方法は、請求項３または請求項４のパターン発生方法にて発生した多値変調信号を被測定物Ｗに入力するステップと、
前記被測定物への前記多値変調信号の入力に伴う前記被測定物からの信号を受けて誤り率を測定するステップとを含むことを特徴とする。
【発明の効果】
【００１６】
本発明によれば、指定された規格団体や規格名の項目に対応したパターンのみをパターン一覧に表示して容易に選択設定することができ、規格団体や規格名に対応しないパターンを誤ってパターン一覧から選択して設定する恐れがなく、所望とする規格団体や規格名に対応したパターンによる多値変調信号を発生することができる。そして、所望とする規格団体や規格名に対応したパターンによる多値変調信号によりビット誤り率の測定を行うことができる。
【図面の簡単な説明】
【００１７】
【図１】本発明に係るパターン発生装置を含む誤り率測定装置の概略構成を示すブロック図である。
【図２】ＰＡＭ４信号のパターンを選択設定したときのパターン選択画面の一例を示す図である。
【図３】ＰＡＭ４信号のパターンを選択設定したときのパターン選択画面の別の例を示す図である。
【図４】選択設定されたＰＡＭ４信号のパターンの概要説明の表示例を示す図である。
【図５】ＰＡＭ４信号のパターンの設定方法の流れを示すフローチャートである。
【図６】従来のパターンの選択設定の表示画面の一例を示す図である。
【発明を実施するための形態】
【００１８】
以下、本発明を実施するための形態について、添付した図面を参照しながら詳細に説明する。
【００１９】
本発明は、テスト信号として被測定物（ＤＵＴ：Device Under Test ）に入力する既知パターンによる４値以上の多値変調信号を発生するパターン発生装置およびパターン発生方法と、被測定信号へのテスト信号の入力に伴って被測定物からの信号を受信してビット誤り率（ＢＥＲ：Bit Error Rate）を測定する誤り率測定装置および誤り率測定方法に関する。
【００２０】
以下、本実施の形態では、４値以上の多値変調信号として、ＰＡＭ４信号を発生してビット誤り率を測定する場合を例にとって説明する。
【００２１】
図１に示すように、本実施の形態の誤り率測定装置１は、送信側のパターン発生装置２と受信側の誤り検出装置３を備えて概略構成され、各種伝送規格における規格団体や規格名などで規定される所望パターンのＰＡＭ４信号をパターン発生装置２にて発生し、発生したＰＡＭ４信号をテスト信号として被測定物Ｗに送信し、このテスト信号の送信に伴う被測定物Ｗからの信号を受信してビット誤り率の測定を行う。
【００２２】
パターン発生装置２は、規格団体や規格名などで規定される所望パターンのＰＡＭ４信号を発生する際、ＰＡＭ４信号のパターンを選択設定するため、図２や図３に示すパターン選択画面１５ａにおいて、指定された規格団体や規格名に対応しないパターンを非表示にするフィルタ機能を有する。
【００２３】
パターン発生装置２は、上記フィルタ機能を実現するため、図１に示すように、設定手段１１、信号発生手段１２、記憶手段１３、制御手段１４、表示手段１５を備えて構成される。
【００２４】
設定手段１１は、規格に対応したＰＡＭ４信号のパターンを選択設定するため、「規格団体」、「規格名」、「パターン」を表示手段１５の表示画面上で行うためのユーザインタフェースとして機能する。さらに説明すると、図２や図３に示すように、表示手段１５のパターン選択画面１５ａに「規格団体」、「規格名」、「パターン」の３つの項目２１，２２，２３が表示される。そして、「規格団体」の項目２１を選択すると、この項目２１の下には規格団体一覧がプルダウンメニュー表示される。また、「規格名」の項目２２を選択すると、この項目２２の下には規格名一覧がプルダウンメニュー表示される。そして、これら「規格団体」や「規格名」の一覧の中から所望の規格団体や規格名を選択した後、「パターン」の項目２３を選択すると、「規格団体」や「規格名」に対応したパターンのみが「パターン」の項目２３の下にパターン一覧としてプルダウンメニュー表示されるので、その中から所望のパターンを選択設定する。
【００２５】
具体的に、規格団体：ＩＥＥＥ、規格名：ＩＥＥＥ８０２．３ｂｓ、パターン：ＰＲＢＳ１３Ｑを選択設定する場合、図２に示すように、「規格団体」の項目の下にプルダウンメニュー表示される規格団体一覧から「ＩＥＥＥ」を選択し、「規格名」の項目の下にプルダウンメニュー表示される規格名一覧から「ＩＥＥＥ８０２．３ｂｓ／ｃｄ」を選択し、「規格団体」と「規格名」に対応したパターンのみが「パターン」の項目の下にプルダウンメニュー表示されるパターン一覧から「ＰＲＢＳ１３Ｑ」を選択して設定する。
【００２６】
なお、図３は「規格団体」から「Ｉｎｆｉｎｉｂａｎｄ」が選択され、「規格団体」に対応したパターンのみが「パターン」の項目の下にプルダウンメニュー表示されるパターン一覧から「ＰＲＢＳ１３Ｑ（Ｉｎｆｉｎｉｂａｎｄ）」が選択設定された状態を示している。
【００２７】
信号発生手段１２は、設定手段１１にて選択設定された規格団体や規格名に基づくパターンによるＰＡＭ４信号を発生する。
【００２８】
記憶手段１３は、所望のパターンのＰＡＭ４信号を発生するための設定情報やビット誤り率などの各種測定を行うために必要な情報などを記憶する。また、記憶手段１３は、パターン発生装置２にて発生可能なＰＡＭ４信号の複数種類のパターンについて、各パターンと規格団体や規格名とを紐付けた情報を記憶する。
【００２９】
制御手段１４は、各種伝送規格における規格団体や規格名などで規定される所望パターンのＰＡＭ４信号の発生やビット誤り率を含む各種測定を行うにあたって、各部を統括制御する。
【００３０】
制御手段１４は、表示手段１５の表示を制御する表示制御手段１４ａを含む。表示制御手段１４ａは、信号発生手段１２が発生するＰＡＭ４信号のパターンを選択設定する際にパターン選択画面１５ａを表示手段１５の表示画面に表示する。
【００３１】
また、表示制御手段１４ａは、パターン選択画面１５ａで選択設定されたパターンの概要説明を所望の言語で表示画面（パターン選択画面１５ａ）に表示する。
【００３２】
さらに、表示制御手段１４ａは、上述した表示制御の他、各種測定に関する設定画面や測定画面などを表示手段１５の表示画面に表示する。
【００３３】
表示手段１５は、例えば装置本体に設けられる液晶などの表示器で構成され、表示制御手段１４ａの制御により、例えば図２や図３に示すようなパターン選択画面１５ａ、図４に示すようなパターンの概要説明を、使用者や使用環境に合わせた所望の言語（図示の例では、英語）で表示画面（パターン選択画面１５ａ）に表示する。
【００３４】
また、表示手段１５は、表示制御手段１４ａの制御により、上述した表示の他、各種設定画面、コンプライアンステスト（被測定物Ｗが規格に適合するか否かの試験）やビット誤り率の測定画面などを表示する。
【００３５】
誤り検出装置３は、上述したパターン発生装置２から既知パターンのテスト信号としてＰＡＭ４信号が被測定物Ｗに送信されると、このＰＡＭ４信号の送信に伴う被測定物Ｗからの信号を受信してビット誤り率を測定する。
【００３６】
次に、上述したパターン発生装置１にて発生するＰＡＭ４信号のパターンの設定方法について図５を参照しながら説明する。
【００３７】
ＰＡＭ４信号のパターンを設定する場合には、表示制御手段１４ａの制御により、図２や図３に示すパターン選択画面１５ａを表示手段１５の表示画面に表示する（ＳＴ１）。
【００３８】
次に、パターン選択画面１５ａにおいて、「規格団体」、「規格名」の少なくとも一方の指定が有るか否かを制御手段１４にて判別する（ＳＴ２）。この「規格団体」や「規格名」の指定は、ユーザの操作を伴う設定手段１１にて行われる。具体的には、パターン選択画面１５ａにおいて、「規格団体」の項目２１を選択し、この項目２１の下にプルダウンメニュー表示される規格団体一覧の中から所望とする規格団体を選択したり、「規格名」の項目２２を選択し、この項目２２の下にプルダウンメニュー表示される規格名一覧の中から所望とする規格名を選択して行う。例えば図２に示すように、「規格団体」の項目２１から「ＩＥＥＥ」、「規格名」の項目２２から「ＩＥＥＥ８０２．３ｂｓ／ｃｄ」を選択する。
【００３９】
そして、「規格団体」、「規格名」の少なくとも一方の指定が有ると判別すると（ＳＴ２−Ｙｅｓ）、「パターン」の項目２３の下にプルダウンメニュー表示されるパターン一覧において、指定された「規格団体」や「規格名」に対応しないパターンを非表示にする（ＳＴ３）。すなわち、指定された「規格団体」や「規格名」に対応するパターンのみが「パターン」の項目２３にパターン一覧としてプルダウンメニュー表示される。そして、指定された「規格団体」や「規格名」に対応しないパターンが非表示のパターン一覧の中から所望のパターンを選択して設定する（ＳＴ４）。
【００４０】
これに対し、パターン選択画面１５ａにおいて、「規格団体」や「規格名」の指定が無いと判別すると（ＳＴ２−Ｎｏ）、従来と同様、図６に示すように、選択可能な全てのパターンを「パターン」の項目２３にパターン一覧としてプルダウンメニュー表示し、パターン一覧の中から所望のパターンを選択して設定する（ＳＴ４）。
【００４１】
そして、パターン選択画面１５ａで所望のパターンが選択設定されると、選択設定されたパターンの概要説明（Ｓｕｍｍａｒｙ）、すなわち、パターンの概要を示した所望言語の説明文を表示手段１５の表示画面（パターン選択画面１５ａ）に表示する。例えば「ＰＲＢＳ１３Ｑ」が所望のパターンとして選択設定されると、図４に示すように、所望言語（例えば英語）による「ＰＲＢＳ１３Ｑ」の説明文をパターンの概要説明としてパターン選択画面１５ａに表示する。
【００４２】
そして、パター発生装置２は、上述した方法によってパターンが設定されると、所望とする規格団体や規格名に対応したパターンによるＰＡＭ４信号を発生する。そして、誤り検出装置３は、パターン発生装置２から既知パターンのテスト信号としてＰＡＭ４信号が被測定物Ｗに入力されると、このＰＡＭ４信号の入力に伴う被測定物Ｗからの信号を受けてビット誤り率を測定する。そして、この測定結果は、表示制御手段１４ａの制御により、表示手段１５の表示画面に表示される。
【００４３】
次に、パターン選択画面１５ａのパターン一覧から所望のパターンを選択して設定する場合の具体例について説明する。
【００４４】
［具体例１］
所望のパターンとして「ＰＲＢＳ１３Ｑ」を選択設定する場合には、図２に示すように、パターン選択画面１５ａにおいて、「規格団体」の項目２１の下にプルダウンメニュー表示される規格団体一覧の中から「ＩＥＥＥ」を選択して指定するとともに、「規格名」の項目２２の下にプルダウンメニュー表示される規格名一覧の中から「ＩＥＥＥ８０２．３ｂｓ／ｃｄ」を選択して指定する。これにより、「パターン」の項目２３の下にプルダウンメニュー表示されるパターン一覧において、規格団体「ＩＥＥＥ」と規格名「ＩＥＥＥ８０２．３ｂｓ／ｃｄ」に対応しないパターンが非表示となる。その結果、「ＰＲＢＳ１３Ｑ」、「ＰＲＢＳ３１Ｑ」、「ＳＳＰＲＱ」、「Ｓｑｕａｒｅ  Ｗａｖｅ」のみが「パターン」の項目２３のパターン一覧に表示されるので、図２の斜線で示すように、「ＰＲＢＳ１３Ｑ」を選択してパターンを設定する。
【００４５】
なお、「ＩＥＥＥ８０２．３ｂｓ」と「ＩＥＥＥ８０２．３ｃｄ」のように、異なる規格名であっても使用するパターンが同じ場合には規格名が統合される。
【００４６】
［具体例２］
所望のパターンとして「ＰＲＢＳ１３Ｑ（Ｉｎｆｉｎｉｂａｎｄ）」を選択設定する場合には、図３に示すように、パターン選択画面１５ａにおいて、「規格団体」の項目２１の下にプルダウンメニュー表示される規格団体一覧の中から「Ｉｎｆｉｎｉｂａｎｄ」を選択して指定する。なお、Ｉｎｆｉｎｉｂａｎｄは、ＰＡＭ４に対応する規格がまだ一つしかないため、規格名の指定が不要のため、「規格名」の項目２２は表示されない。これにより、「パターン」の項目２３の下にプルダウンメニュー表示されるパターン一覧において、規格団体「Ｉｎｆｉｎｉｂａｎｄ」に対応しないパターンが非表示となる。その結果、「ＰＲＢＳ１３Ｑ（Ｉｎｆｉｎｉｂａｎｄ）」、「ＰＲＢＳ２３Ｑ」、「ＰＲＢＳ３１Ｑ（Ｉｎｆｉｎｉｂａｎｄ）」のみが「パターン」の項目２３の下にパターン一覧として表示されるので、図３の斜線で示すように、「ＰＲＢＳ１３Ｑ（Ｉｎｆｉｎｉｂａｎｄ）」を選択してパターンを設定する。
【００４７】
このように、本実施の形態によれば、パターン選択画面１５ａにおいて、規格団体や規格名が指定されると、指定された規格団体や規格名に対応しないパターンがフィルタ機能によって非表示になり、指定された「規格団体」や「規格名」に対応したパターンのみがパターン一覧に表示されるので、選択項目を絞り込んだ状態で所望とする規格団体や規格名に対応したパターンを選択設定して多値変調信号を発生することができる。そして、所望とする規格団体や規格名に対応したパターンによる多値変調信号によりビット誤り率の測定を行うことができる。
【００４８】
また、上述したフィルタ機能によれば、新しく規格団体、規格名、パターンの項目が追加された場合にも、既存のフィルタされたパターン群の見やすさには影響を受けずに規格団体、規格名、パターンの項目を追加することが可能となる。また、必要であれば、規格団体や規格名のみに限らず、さらに小項目のフィルタを追加して選択可能なパターンの絞り込みを行うことも可能であり、拡張性に優れている。さらに、当然ながら間違ったパターンを選択した状態でテストするという可能性を大きく削減することができる。
【００４９】
さらに、パターン選択画面１５ａにおいて、所望とする規格団体や規格名に対応したパターンが選択設定されると、この選択設定されたパターンの概要を示す所望言語の説明文が表示されるので、規格のどの部分を参照しているパターンなのか、どのようなパターンなのかを認識することができる。
【００５０】
以上、本発明に係るパターン発生装置およびパターン発生方法と誤り率測定装置および誤り率測定方法の最良の形態について説明したが、この形態による記述および図面により本発明が限定されることはない。すなわち、この形態に基づいて当業者等によりなされる他の形態、実施例および運用技術などはすべて本発明の範疇に含まれることは勿論である。
【符号の説明】
【００５１】
１  誤り率測定装置
２  パターン発生装置
３  誤り検出装置
１１  設定手段
１２  信号発生手段
１３  記憶手段
１４  制御手段
１４ａ  表示制御手段
１５  表示手段
１５ａ  パターン選択画面
２１  規格団体の項目
２２  規格名の項目
２３  パターンの項目
Ｗ  被測定物
【図１】
2020043482.tif 000003
【図２】
2020043482.tif 000004
【図３】
2020043482.tif 000005
【図４】
2020043482.tif 000006
【図５】
2020043482.tif 000007
【図６】
2020043482.tif 000008
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
各種伝送規格に対応したパターンによる４値以上の多値変調信号を発生するパターン発生装置（２）であって、
前記多値変調信号のパターンをパターン一覧の中から選択設定するためのパターン選択画面（１５ａ）を表示する表示手段（１５）と、
前記パターン選択画面において、規格団体と規格名の少なくとも一方が選択されたときに、これに対応するパターンのみを前記パターン一覧に表示制御するとともに、前記パターン一覧の中から選択設定されたパターンの概要説明を表示制御する制御手段（１４）とを備えたことを特徴とするパターン発生装置。
【請求項２】
各種伝送規格に対応したパターンによる４値以上の多値変調信号を発生するパターン発生方法であって、
前記多値変調信号のパターンをパターン一覧の中から選択設定するためのパターン選択画面（１５ａ）を表示するステップと、
前記パターン選択画面において、規格団体と規格名の少なくとも一方が選択されたときに、これに対応するパターンのみを前記パターン一覧に表示制御するステップと、
前記パターン一覧の中から選択設定されたパターンの概要説明を表示制御するステップとを含むことを特徴とするパターン発生方法。
【請求項３】
請求項１のパターン発生装置（２）と、
被測定物（Ｗ）への前記パターン発生装置が発生する多値変調信号の入力に伴う前記被測定物からの信号を受けてビット誤り率を測定する誤り検出装置（３）とを備えたことを特徴とする誤り率測定装置。
【請求項４】
請求項２のパターン発生方法にて発生した多値変調信号を被測定物（Ｗ）に入力するステップと、
前記被測定物への前記多値変調信号の入力に伴う前記被測定物からの信号を受けて誤り率を測定するステップとを含むことを特徴とする誤り率測定方法。
【手続補正２】
【補正対象書類名】明細書
【補正対象項目名】００１０
【補正方法】変更
【補正の内容】
【００１０】
上記目的を達成するため、本発明の請求項１に記載されたパターン発生装置は、各種伝送規格に対応したパターンによる４値以上の多値変調信号を発生するパターン発生装置２であって、
前記多値変調信号のパターンをパターン一覧の中から選択設定するためのパターン選択画面１５ａを表示する表示手段１５と、
前記パターン選択画面において、規格団体と規格名の少なくとも一方が選択されたときに、これに対応するパターンのみを前記パターン一覧に表示制御するとともに、前記パターン一覧の中から選択設定されたパターンの概要説明を表示制御する制御手段１４とを備えたことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項２に記載されたパターン発生方法は、各種伝送規格に対応したパターンによる４値以上の多値変調信号を発生するパターン発生方法であって、
前記多値変調信号のパターンをパターン一覧の中から選択設定するためのパターン選択画面１５ａを表示するステップと、
前記パターン選択画面において、規格団体と規格名の少なくとも一方が選択されたときに、これに対応するパターンのみを前記パターン一覧に表示制御するステップと、
前記パターン一覧の中から選択設定されたパターンの概要説明を表示制御するステップとを含むことを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項３に記載された誤り率測定装置は、請求項１のパターン発生装置２と、
被測定物Ｗへの前記パターン発生装置が発生する多値変調信号の入力に伴う前記被測定物からの信号を受けてビット誤り率を測定する誤り検出装置３とを備えたことを特徴とする。
【手続補正７】
【補正対象書類名】明細書
【補正対象項目名】００１５
【補正方法】変更
【補正の内容】
【００１５】
請求項４に記載された誤り率測定方法は、請求項２のパターン発生方法にて発生した多値変調信号を被測定物Ｗに入力するステップと、
前記被測定物への前記多値変調信号の入力に伴う前記被測定物からの信号を受けて誤り率を測定するステップとを含むことを特徴とする。